(57)【要約】      （修正有）【課題】簡易な構造で部品数の削減と機能部を適切な位置に配置することができる照明装置を提供する。【解決手段】照明装置は、長尺状の第１の光源と、第１の光源の長手方向に隣接して配置される第２の光源２１と、第１の光源の長手方向に基板面が沿うように、第１の光源の光の出射方向に対し縦置きに配置されるとともに、第１の光源の光の出射方向側に形成されるとともに第２の光源２１が配設される切欠き部３０１と、この切欠き部３０１に隣接して設けられ第１の光源３の光の出射方向に突出する突出部３０２と、基板面に第２の光源２１を点灯させる電子部品３１を搭載した点灯基板３０と、点灯基板３０の突出部３０２に搭載され、第１の光源の光の出射方向側から操作または視認可能に構成された機能部２０とを備える。【選択図】図３
2019160445.tif 000002
【特許請求の範囲】
【請求項１】
長尺状の第１の光源と；
前記第１の光源の長手方向に隣接して配置される第２の光源と；
前記第１の光源の長手方向に基板面が沿うように、前記第１の光源の光の出射方向に対し縦置きに配置されるとともに、前記第１の光源の光の出射方向側に形成されるとともに前記第２の光源が配設される切欠き部と、この切欠き部に隣接して設けられ前記第１の光源の光の出射方向に突出する突出部と、前記基板面に第２の光源を点灯させる電子部品を搭載した点灯基板と；
前記点灯基板の前記突出部に搭載され、前記第１の光源の光の出射方向側から操作または視認可能に構成された機能部と；
を具備していることを特徴とする照明装置。
【請求項２】
前記機能部は、前記第１の光源に対し前記第２の光源よりも離れた位置に設けられることを特徴とする請求項２に記載の照明装置。
【請求項３】
前記点灯基板は、前記第１の光源に隣接する一端部に外部電源の電力が供給される外部電源用端子台を備え、他端部に蓄電池の電力が供給される蓄電池用コネクタを備えたことを特徴とする請求項１ないし３のいずれか一項に記載の照明装置。
【請求項４】
前記第１の光源の長手方向に隣接して配設される蓄電池をさらに具備し、
前記点灯基板は、第１の面が前記蓄電池と対向し、第２の面に前記外部電源用端子台、前記蓄電池用コネクタ、前記機能部が設けられていることを特徴とする請求項３に記載の照明装置。
【請求項５】
前記第２の光源が取り付けられる放熱板は、この放熱板の一部が前記蓄電池と前記点灯基板との間に介在していることを特徴とする請求項１ないし５のいずれか一項に記載の照明装置。
【発明の詳細な説明】
【技術分野】
【０００１】
本発明の実施形態は、照明装置に関する。
【背景技術】
【０００２】
例えば住宅や、商業施設、工場等の天井面に直接取り付けられる従来の照明器具の一例として、常用点灯用光源を有する照明器具の器具本体内に非常灯を組み込んだ非常灯組み込み形照明器具が開発されている。この非常灯組み込み形照明器具は、通常時は商用電源のような外部電源の電力を用いて光源を点灯させ、外部電源からの給電が停止した非常時には、内蔵した蓄電池の電力を用いて光源を点灯させる構成になっている。
【０００３】
このような非常灯組み込み型の照明器具として、一般光源を有する照明器具と非常用光源を有する照明器具とを長手方向に並べて配置した照明器具がある。
【０００４】
このような非常灯は、非常用光源を点灯させるための制御回路を配置したユニット点灯基板を蓄電池下部に設け配線構造を容易化している。一方、モニタランプや点検スイッチ、リモコン受光部などの部品はサブ点灯基板に配置され、ユニット点灯基板と離間した位置に設けられる。
【０００５】
しかしながら、複数枚の点灯基板を離間して配置すると互いを電気的に接続するための配線が必要となる。そのため、部品数の増加に伴う器具構成の複雑化や組立工程増加による製品コストの増加など問題があった。
【先行技術文献】
【特許文献】
【０００６】
【特許文献１】特開２０１７−４５６１４号公報
【発明の概要】
【発明が解決しようとする課題】
【０００７】
本発明が解決しようとする課題は、簡易な構造で部品数の削減と機能部を適切な位置に配置することができる照明装置を提供することである。
【課題を解決するための手段】
【０００８】
実施形態の実施形態の照明装置は、長尺状の第１の光源と、第１の光源の長手方向に隣接して配置される第２の光源と、第１の光源の長手方向に基板面が沿うように、第１の光源の光の出射方向に対し縦置きに配置されるとともに、第１の光源の光の出射方向側に形成されるとともに第２の光源が配設される切欠き部と、この切欠き部に隣接して設けられ第１の光源の光の出射方向に突出する突出部と、基板面に第２の光源を点灯させる電子部品を搭載した点灯基板と、点灯基板の突出部に搭載され、第１の光源の光の出射方向側から操作または視認可能に構成された機能部とを備える。
【発明の効果】
【０００９】
本発明によれば、簡易な構造で部品数の削減によるコスト低下と適切な位置への機能部の配置を両立することが期待できる。
【図面の簡単な説明】
【００１０】
【図１】実施形態の非常灯組み込み形の照明装置の全体の外観を示す斜視図である。
【図２】同上照明装置の筐体から取り外された状態の非常灯の概略斜視図である。
【図３】同上照明装置の非常灯の側面図である。
【図４】同上照明装置における非常灯の正面図である。
【図５】同上照明装置における非常灯の斜視図である。
【発明を実施するための形態】
【００１１】
以下で説明する実施形態にかかる照明装置１００は、長尺状の第１の光源３と、第１の光源３の長手方向に隣接して配置される第２の光源２１と、第１の光源３の長手方向に基板面が沿うように、第１の光源３の光の出射方向に対し縦置きに配置されるとともに、第１の光源３の光の出射方向側に形成されるとともに第２の光源が配置される切欠き部３０１と、この切欠き部３０１に隣接して設けられ第１の光源の光の出射方向に突出する突出部３０２と、を有し、基板面に第２の光源２１を点灯させる電子部品３１を搭載した点灯基板３０と、点灯基板３０の突出部３０２に搭載され、第１の光源３の光の出射方向側から操作または視認可能に構成された機能部２０とを備える。
【００１２】
また、以下に説明する実施形態に係る機能部２０は、第１の光源３に対し第２の光源２１よりも離れた位置に設けられる。
【００１３】
また、以下に説明する実施形態に係る点灯基板３０は、第１の光源３に隣接する一端部に外部電源の電力が供給される外部電源用端子台３８を備え、他端部に蓄電池２６の電力が供給される蓄電池用コネクタ２９を備える。なお、外部電源用端子台３８への外部電源からの電力の供給および蓄電池用コネクタ２９への蓄電池２６からの電力供給は電線等を接続することによって行うことができる。
【００１４】
また、以下に説明する実施形態に係る照明装置１００は、第１の光源３の長手方向に隣接して配設される蓄電池２６をさらに具備し、点灯基板３０は、第１の面が蓄電池２６と対向し、第２の面に外部電源用端子台３８、蓄電池用コネクタ２９、機能部２０が設けられる。
【００１５】
また、以下に説明する実施形態に係る第２の光源２１が取り付けられる放熱板４０は、この放熱板４０の一部が蓄電池２６と点灯基板３０との間に介在している。
【００１６】
図面を参照して、実施形態に係る非常灯及び照明装置を説明する。実施形態において同一の部位には同一の符号を付し、重複する説明は省略される。
【００１７】
まず、図１を参照して、実施形態に係る非常灯及び照明装置の全体の構成について説明する。
【００１８】
図１は、たとえば住宅や、商業施設、工場等の天井面に直接取り付けられる実施形態の非常灯組み込み形の照明装置の全体の外観を示す斜視図である。本実施形態の照明装置１００は、図１に示すように、常用点灯用光源である長尺状の第１の光源３としてＬＥＤバー３（以下第１の光源３をＬＥＤバー３と称す）と、ＬＥＤバー３を保持する筐体４とを備える。ＬＥＤバー３は、商用電源などの外部電源から供給された電力で点灯する。
【００１９】
さらに、照明装置１００は、通常時にＬＥＤバー３を点灯させる図示しない常用電源ユニットと、常用電源ユニットを外部電源に接続する図示しない電源端子台とを有する常用点灯用の構成部品を備える。ＬＥＤバー３は、複数種類の機種が予め準備されており、適宜選択的に使用可能になっている。
【００２０】
照明装置１００の筐体４には、常用点灯用の構成部品およびＬＥＤバー３を収容するとともに、一端部（図１中で照明装置１００の長手方向の右端部）に非常点灯用光源としての第２の光源２１を有する非常灯２が配置される（以降第２の光源を非常用光源２１と称す）凹部５が形成される。すなわち、本実施形態では、凹部５の一端部側に非常灯２を収容し、他端側にＬＥＤバー３が収容される。凹部５内にＬＥＤバー３および非常灯２を収容することで、常用点灯用のＬＥＤバー３と非常灯２とを隣接配置している。つまり、非常用光源２１とＬＥＤバー３は隣接して配置される。さらに、非常灯２は、点検スイッチ２２、モニタ用ＬＥＤ２３の機能部２０を有し、化粧枠２４により筐体４に取り付けられる。
【００２１】
（非常灯２の詳細）
【００２２】
次に、図２及び図３を参照して、非常灯２の詳細について説明する。
【００２３】
図２は、照明装置１００の筐体４から取り外された状態の非常灯２の概略斜視図である。図２に示すように、非常灯２は、非常用光源２１、点検スイッチ２２、モニタランプ２３に加えて、放熱板４０、点灯基板ケース２７、蓄電池２６を有する。非常用光源２１は、光源用ケース２１３、レンズ２１１を有する。
【００２４】
また、図３は、点灯基板ケース２７の一部を省略して図示した非常灯２の側面図である。図３に示すように、非常灯２はさらに点灯基板３０を有する。点灯基板３０は、長尺状であり、ＬＥＤバー３の長手方向に基板面が沿うように、ＬＥＤバー３の光の出射方向に対し縦置きに配置される。また、点灯基板３０は、ＬＥＤバー３の光の出射方向側に切欠き部３０１と、この切欠き部３０１に隣接した突出部３０２を有する。この切欠き部３０１には、非常用光源２１が配置される。このとき、非常用光源２１と点灯基板３０の突出部３０２とが隣接する。この突出部３０２には、機能部２０が配置される。この機能部２０は、第１の光源の光出射方向側から操作または視認可能に構成され、少なくとも非常灯２の非常灯としての機能を発揮させるための部品を含んだものであり、たとえば非常用光源２１を点灯させるスイッチ２２である。また、たとえば、蓄電池２６の充電状態を表示するモニタランプ２３である。このようにＬＥＤバー３の長手方向に沿って縦置きに配置された長尺状の点灯基板３０に切欠き部３０１を設け、この切欠き部分に非常用光源２１を配置することで、限られたスペースの中で非常用光源２１が照明装置１００から飛び出すことなく配置できる。このため、非常用光源２１がＬＥＤバー３の配光を遮ることなくＬＥＤバー３に隣接して配置することができる。また、非常用光源２１に隣接した突出部３０２にスイッチ２２、モニタランプ２３等の機能部２０を配置することで、複数枚の基板を用いずに１枚の点灯基板３０を用いてスイッチ２２、モニタランプ２３等の機能部２０を第１の光源３の光の出射側、換言すると照明装置１００の表面側に配置することができる。このため、非常灯２の部品数を削減することができるとともに機能部２０を適切な位置に配設し、機能部２０の操作性、視認性を得ることができる。
【００２５】
これにより、凹部５の限られたスペースの中で簡易な構造で部品数を削減することができ、製造コストを低下させることができる。また、機能部２０を照明装置１００の表面側に配置することにより操作性や視認性を確保することができる。
【００２６】
また、図３に示すように、点灯基板３０の突出部３０２はＬＥＤバー３に対して切欠き部３０１よりも照明装置１００の端部側に設けられることが好ましい。これにより、突出部３０２に搭載される機能部２０であるスイッチ２２およびモニタランプ２３は、ＬＥＤバー３に対して非常用光源２１よりも離れた位置に設けられる。つまり、機能部２０は照明装置１００の端部に設けられる。モニタランプ２３は常用時に蓄電池２６の充電状態を表示するため点灯するが、常用灯であるＬＥＤバー３が隣接しているとＬＥＤバー３の光の影響を受けてモニタランプ２３の点灯状態が外観から確認しづらくなる。そのため、機能部２０をＬＥＤバー３から離して設置することでモニタランプ２３の点灯状態を確認し易くなる。
【００２７】
また、図３に示すように点灯基板３０は、ＬＥＤバー３に隣接する一端側に外部電源の電力が供給される外部電源用端子台３８を備え、他端側には光源用端子台３２、蓄電池用コネクタ２９を備える。この光源用端子台３２は非常用光源２１から伸びたケーブルが接続され、蓄電池用コネクタ２９には、蓄電池２６から伸びた充電用の電源ケーブルが接続される。常用時は、外部電源から供給された電力が外部電源用端子台３８に入力され、蓄電池用コネクタ２９を介して蓄電池２６に供給されることにより蓄電池２６は充電を行う。一方、非常時には、蓄電池２６の電力が蓄電池用コネクタ２９に入力され、光源用端子台３２を介して非常用光源２１に供給されることにより、非常光源２１が点灯する。このように、外部電源から電力が供給される外部電源用端子台３８とその電力を出力するとともに蓄電池の電力を供給する蓄電池用コネクタ２９とを長尺状の点灯基板３０の端部にそれぞれ離して設けることにより、外部電源用端子台３８に接続するケーブルと、蓄電池用コネクタ２９に接続するケーブルとが絡まることを抑制することができる。
【００２８】
さらに、図３に示すように点灯基板３０の基板面の外部電源用端子台３８と蓄電池用コネクタ２９との間の領域には、非常用光源モジュール２１２を点灯させるための電子部品３１が配置されることが好ましい。つまり、点灯基板３０の第１の面が蓄電池２６と対向し、第２の面が外部電源用端子台３８、蓄電池用コネクタ２９、電子部品３１、機能部２０の搭載部品を有する。このように、搭載部品を長尺状の点灯基板３０の一面側に設けることにより収容する回路点灯基板ケース２７を小型化することができる。また、搭載部品を一面側に設けることによりＬＥＤバー３、非常用光源２１、モニタ用ＬＥＤ２３、点検スイッチ２２が照明装置１００の略同一線上に配置することができるため照明装置１００の外観美を向上させることができる。
【００２９】
次に、図４は非常灯２の正面図であり、図５は非常灯２の斜視図である。図４は非常用光源２１のレンズ２１１を省略して図示しており、図５は蓄電池２６を省略して図示している。
【００３０】
図４に示すように、非常用光源２１は、非常用光源モジュール２１２と非常用光源モジュール２１２を放熱板４０に固定する光源用ケース２１３を有する。非常用光源モジュール２１２は、光源用ケース２１３で発光部以外が覆われており、光源用ケース２１３により放熱板４０に固定される。
【００３１】
光源用ケース２１３は、ＬＥＤバー３の長手方向に沿ってネジ孔２１４を有しており、このネジ孔２１４を介してネジ２１５により放熱板４０に固定される。また、光源用ケース２１３は、基板３０の突出部３０２に隣接したネジ孔２１４付近に配線用孔２１６が設けられる。この配線用孔２１６には、非常用光源モジュール２１２と電気的に接続された端子部（図示しない）が配設されており、配線用孔２１６に基板３０の光源用端子台３２から伸びた配線２１７を接続することで光源用端子台３２と非常用光源モジュール２１２とを電気的に接続することができる。非常用光源モジュール２１２は、光源用端子台３２および配線２１７を介して蓄電池２６から電力が供給され点灯する。このように、光源用ケース２１３の配線用孔２１６を突出部３０２に対向した側に設けることで、光源用端子台３２から伸びた配線を接続しやすくなるとともに、配線２１７の長さを短くすることができるため化粧枠２４を取り付ける際に邪魔になりにくい。
【００３２】
また、図４に示すように、非常用光源２１および基板３０は、照明装置１００の長手方向に沿った略線上に配置される。非常用光源２１および基板３０を略直線上に配置することで非常用光源２１および機能部２０が略直線状に配置されるため外観美が向上する。
【００３３】
図５に示すように、非常用光源２１が取り付けられる放熱板４０は、非常用光源２１が取り付けられる第１面４１と、第１面から直交した向きに延びた第２面４２から構成される。この第２面４２は、回路点灯基板ケース２７と蓄電池２６との間に介在するように配置される。この放熱板４０は、たとえば、金属板で形成されており、第１面４１を介して非常用光源２１の熱を自身に拡散し、第２面４２を介して蓄電池２６から放出される熱および点灯基板３０に搭載された搭載部品から放出される熱を自身に拡散する。
【００３４】
さらに、点灯基板３０に実装される機能部２０および電子部品３１は、点灯基板３０の蓄電池２６と対向する面とは反対の面に実装されることにより、点灯基板３０と放熱板４０の第２面４２を近接して配置させることができる。これにより、実装部品から放出された熱を点灯基板３０を介して放熱板４０に効率よく放熱することができる。
【００３５】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１００  照明装置
２  第２の光源（非常灯）
３  第１の光源（ＬＥＤバー）
４  筐体
５  ケース部材
６  収納部
２０  機能部
２１  非常用光源
２１１  レンズ
２１２  非常用光源モジュール
２２  点検スイッチ
２３  モニタランプ
２６  蓄電池
２７  点灯基板ケース
２８  外部電源用端子台
２９  蓄電池用コネクタ
３０  点灯基板
３１  電子部品
３０１  切欠き部
３０２  突出部
３２  光源用端子台
２４  化粧枠
【図１】
2019160445.tif 000003
【図２】
2019160445.tif 000004
【図３】
2019160445.tif 000005
【図４】
2019160445.tif 000006
【図５】
2019160445.tif 000007